(57)【要約】【課題】  観察部位の状態に関わらずに明瞭に観察できる手術用顕微鏡装置を提供する。【解決手段】  観察光学系３０を挟んで術者の反対側の位置に左右の観察光軸ＯＬ、ＯＲを結ぶ方向を長手方向とする長方形状の射出瞳を形成し、照明光源２１と、上記射出瞳の長手方向と同じ方向を長手方向とするスリット穴２４ａを形成するスリット板２４とを含む照明光学系２０と、観察光学系３０の観察光路と照明光学系２０の照明光路の双方が経由する対物レンズ１５と、照明光学系２０の射出瞳とは異なる位置に長方形状の他の射出瞳を形成し、他の照明光を出力する照明光源４１と、上記他の射出瞳の長手方向と同じ方向を長手方向とするスリット穴４４ａを形成するスリット板４４とを含み、スリット穴４４ａを通過した他の照明光を対物レンズ１５を経由して被手術眼Ｅに照射する他の照明光学系４０を備える。【選択図】      図２
2006280805.tif 000002
【特許請求の範囲】
【請求項１】
術者の左右眼用の左右の観察光路を形成する観察光学系と、
前記観察光学系を挟んで前記術者の反対側の位置に前記観察光学系の左右の観察光軸を結ぶ方向を長手方向とする長方形状の射出瞳を形成し、被手術眼を照明する照明光を出力する照明光源と、前記射出瞳の長手方向と同じ方向を長手方向とするスリットを前記照明光の光路上に形成するスリット部材とを含む照明光学系と、
前記観察光学系の観察光路及び前記照明光学系の照明光路の双方が経由する対物レンズと、
を有する手術用顕微鏡装置であって、
前記照明光学系の前記射出瞳とは異なる位置に長方形状の他の射出瞳を形成し、前記他の射出瞳の長手方向と同じ方向を長手方向とする他のスリットを形成する他のスリット部材とを含み、前記対物レンズを経由して前記被手術眼に他の照明光を照射する他の照明光学系を備えていることを特徴とする手術用顕微鏡装置。
【請求項２】
前記他の照明光学系の前記他の射出瞳は、前記観察光学系の左右の観察光軸に直交しそれらを結ぶ線分の延長上に形成され、前記照明光学系の前記射出瞳の長手方向に直交する方向を長手方向としていることを特徴とする請求項１に記載の手術用顕微鏡装置。
【請求項３】
前記対物レンズを経由する助手の左右眼用の左右の観察光路を形成する助手用顕微鏡を更に備え、
前記他の照明光学系の前記他の射出瞳は、前記観察光学系を挟んで前記助手用顕微鏡の前記入射瞳の反対側の位置に形成されている、
ことを特徴とする請求項１又は請求項２に記載の手術用顕微鏡装置。
【請求項４】
前記他の照明光学系は、前記観察光学系を収納する筐体に対して着脱可能とされ、
前記筐体に対する前記他の照明光学系の着脱位置に着脱可能とされ、前記対物レンズを経由する助手の左右眼用の左右の観察光路を形成し、前記他の出射瞳と同位置に入射瞳を形成する助手用顕微鏡を更に備える、
ことを特徴とする請求項１又は請求項２に記載の手術用顕微鏡装置。
【請求項５】
前記他の照明光学系は、
前記観察光学系の左の観察光軸の左側に、前記照明光学系の前記射出瞳の長手方向に直交する方向を長手方向とする射出瞳を形成し、前記他のスリット部材を含む左照明光学系と、
前記観察光学系の右の観察光軸の右側に、前記左照明光学系の射出瞳の長手方向と同じ方向を長手方向とする射出瞳を形成し、前記他のスリット部材を含む右照明光学系と、
を含んでいることを特徴とする請求項２に記載の手術用顕微鏡装置。
【請求項６】
前記他の照明光学系と前記助手用顕微鏡とは、前記左右の観察光軸に平行かつそれらの中間位置を通る直線を軸として前記他の射出瞳と前記入射瞳とを回動させるように一体的に回動可能とされていることを特徴とする請求項３に記載の手術用顕微鏡装置。
【請求項７】
前記他の照明光学系の前記他の射出瞳は、前記観察光学系を挟んで前記照明光学系の前記射出瞳の反対側の位置に形成され、前記射出瞳の長手方向と同じ方向を長手方向としていることを特徴とする請求項１に記載の手術用顕微鏡装置。
【請求項８】
前記照明光学系及び前記他の照明光学系の内の少なくとも一方を選択するための選択操作手段と、
前記選択された前記照明光学系及び／又は前記他の照明光学系からの照明光により前記被手術眼を照明させる制御手段と、
を更に備えていることを特徴とする請求項１に記載の手術用顕微鏡装置。
【請求項９】
前記照明光学系、前記左照明光学系及び前記右照明光学系の内の少なくともいずれかを選択するための選択操作手段と、
前記選択された前記照明光学系、前記左照明光学系及び／又は前記右照明光学系からの照明光により前記被手術眼を照明させる制御手段と、
を更に備えていることを特徴とする請求項５に記載の手術用顕微鏡装置。
【発明の詳細な説明】
【技術分野】
【０００１】
本発明は、眼科手術において使用される手術用顕微鏡装置に関し、特に、被手術眼をスリット光で照明する機能を備えた手術用顕微鏡装置に関するものである。
【背景技術】
【０００２】
従来、眼科分野における網膜硝子体手術においては、図１６に示すように、被手術眼Ｅの角膜Ｅｃ上に手術用コンタクトレンズ２００を載置するとともに、眼内にライトガイド（光ファイバ）２０１を挿入して手術部位を照明しつつ、カッターや鉗子等の手術器具２０２を眼内に挿入して手術を行っていた。このような手術方法では、術者は、一方の手にライトガイド２０１を把持するとともに他方の手に手術器具２０２を把持した状態で手術を行わなければならず、細かな手術を行いにくいなどの問題が指摘されていた。なお、図１６において、符号Ｅｃは角膜を示し、符号Ｅｖは硝子体腔を示している。
【０００３】
そのような問題に対処するため、被手術眼と対物レンズの前側焦点位置との間に、照明光を集束させて眼内を照明する前置レンズを備えた手術用顕微鏡装置が提案されている（たとえば特許文献１、２参照）。
【０００４】
図１７は、前置レンズを有する手術用顕微鏡装置１００の外観構成を示している（特許文献１参照）。手術用顕微鏡装置１００は、装置を支持する支柱２と、この支柱２の上端に一端が接続された第１アーム３と、この第１アーム３の他端に一端が接続された第２アーム４と、この第２アーム４の他端に接続された駆動装置５と、この駆動装置５により懸架された術者用顕微鏡６と、この術者用顕微鏡６に付設された助手用顕微鏡７と、各種操作を足で行うためのフットスイッチ８とを含んで構成されている。駆動装置５は、術者等による操作に応じて、術者用顕微鏡６と助手用顕微鏡７を上下方向及び水平方向に三次元的に移動させるように作用する。
【０００５】
術者用顕微鏡６は、各種光学系や駆動系などを収納する鏡筒部１０を有する。鏡筒部１０の上部には、倒像として得られる観察像を正立像に変換する公知の光学ユニット（像正立プリズム）を収納したインバータ部１２が設けられている。インバータ部１２の上部には、左右一対の接眼部１１Ｌ、１１Ｒが設けられている。術者は、この接眼部１１Ｌ、１１Ｒをのぞき込んで被手術眼Ｅを両眼で観察する。
【０００６】
また、術者用顕微鏡６には、前置レンズ１３が保持アーム１４を介して接続されている。保持アーム１４の上端部は垂直方向に回動可能に枢設されており、前置レンズ１３を被手術眼Ｅと対物レンズ（図示せず）の前側焦点との間の位置から退避できるようになっている。この退避された前置レンズ１３及び保持アーム１４は、図示しない収納部に収納される。
【０００７】
このような従来の手術用顕微鏡装置では、手術用コンタクトレンズの表面や角膜による照明光の反射光が観察光学系に入射してグレアーを発生しないように、反射光を生じる境界面において照明光路と観察光路とを分離した構成が採用されている。
【０００８】
しかし、有水晶体眼（ｐｈａｋｉａ）や擬水晶体眼（ｐｓｅｕｄｏｐｈａｋｉａ）を観察対象とする場合、水晶体や眼内レンズ（ＩＯＬ）による比較的弱度の反射光によって観察像の明瞭性が低減される。また、強膜による散乱光も観察像のコントラストを悪化させる要因となっている。
【０００９】
このようなことを考慮すると、手術用顕微鏡装置は、（１）照明野の大きさ及び形状を変更できること、（２）眼内の観察部位に照明野を移動できること、（３）観察光学系の光軸（観察光軸）と照明光学系の光軸（照明光軸）との角度（照明角度）を変更できること、などの機能を備えていることが望まれる。特に、（１）、（２）を実現するための構成としては、照明光学系にスリット機構を組み込み、眼内をスリット光で照明する手法が効果的に用いられている（たとえば特許文献２、３参照）。
【００１０】
そのような手術用顕微鏡装置の光学系の構成を図１８に示す（特許文献２参照）。この光学系は、図１７の手術用顕微鏡装置１００においては術者用顕微鏡６の鏡筒部１０に収納されており、照明光学系２０と観察光学系３０とを含んで構成される。
【００１１】
観察光学系３０は、対物レンズ１５の光軸Ｏを挟んでその両側に左右一対設けられている。この左右の観察光学系３０は、ズームレンズ系３１、ビームスプリッタ３２、結像レンズ３３、像正立プリズム３４、眼幅調整プリズム３５、視野絞り３６及び接眼レンズ３７を有している。ズームレンズ系３１は複数のズームレンズ３１ａ、３１ｂ、３１ｃから構成される。ビームスプリッタ３２は、被手術眼Ｅからの観察光の一部を分離して助手用顕微鏡７やＴＶカメラ（図示せず）に導くためのものである。
【００１２】
照明光学系２０は、照明光源２１、コンデンサレンズ２２、照明野絞り２３、スリット板２４、照明プリズム２５及びコリメータレンズ２７を含んで構成されている。
【００１３】
スリット板２４にはスリット穴２４ａが形成されている。また、スリット板２４は、照明光学系２０の照明光路に対して挿脱可能とされており、特に、照明光路に挿入されているときには照明光軸Ｏ′に直交する方向に可動されるように構成されている。スリット穴２４ａは、照明光軸Ｏ′とスリット板２４の可動方向との双方に直交する方向に形成され、その眼底上における投影像は、観察光学系３０の左右の観察光軸を含む面に対して平行に延びる形状に形成される。
【００１４】
照明野絞り２３は、対物レンズ１４の前側焦点位置Ｆと光学的に共役な位置に設けられている。また、対物レンズ１５は、その前側焦点位置Ｆが眼底Ｅｒ（網膜）に共役となるように配置される。
【００１５】
照明光源２１は、術者用顕微鏡６の鏡筒部１０内に収納されている構成のほか、鏡筒部１０の外部に設けられて、照明光を光ファイバで鏡筒部１０内のコンデンサレンズ２２に導く構成を採用することが可能である。
【００１６】
以上のような従来の手術用顕微鏡装置においては、スリット板２４が照明光路に挿入されているときのスリット穴２４ａの方向（長手方向）は常に一定とされ、したがって、眼内を照明するスリット光の方向（長手方向）も術者から見て常に同じ方向となっている。また、従来の手術用顕微鏡装置では、常に一定の方向からスリット光を眼内に照射するようになっている。
【００１７】
このような構成の手術用顕微鏡装置によれば、網膜硝子体手術において次のような不都合が生じることがある。たとえば増殖膜を網膜から剥離する場合には、血管を切開しないように、癒着部位を注意深く観察しながら作業を進める必要がある。しかし、増殖膜は常に一定の方向に沿って癒着しているわけではなく、様々な方向を向いて癒着しているため、同一方向からしかスリット光を照射できない従来の手術用顕微鏡装置では、癒着の状態によってはその癒着部位に影が生じ、明瞭な観察が妨げられるおそれがある。
【００１８】
【特許文献１】特開２００５−３４２８５号公報
【特許文献２】特開２００３−６２００３号公報
【特許文献３】欧州特許出願公開第ＥＰ１３００１０９号明細書
【発明の開示】
【発明が解決しようとする課題】
【００１９】
本発明は、そのような事情に鑑みてなされたもので、被手術眼の観察部位の状態に関わらず、その観察部位を明瞭に観察することが可能な手術用顕微鏡装置を提供することを目的とする。
【課題を解決するための手段】
【００２０】
上記目的を達成するために、請求項１に記載の発明は、術者の左右眼用の左右の観察光路を形成する観察光学系と、前記観察光学系を挟んで前記術者の反対側の位置に前記観察光学系の左右の観察光軸を結ぶ方向を長手方向とする長方形状の射出瞳を形成し、被手術眼を照明する照明光を出力する照明光源と、前記射出瞳の長手方向と同じ方向を長手方向とするスリットを前記照明光の光路上に形成するスリット部材とを含む照明光学系と、前記観察光学系の観察光路及び前記照明光学系の照明光路の双方が経由する対物レンズと、を有する手術用顕微鏡装置であって、前記照明光学系の前記射出瞳とは異なる位置に長方形状の他の射出瞳を形成し、前記他の射出瞳の長手方向と同じ方向を長手方向とする他のスリットを形成する他のスリット部材とを含み、前記対物レンズを経由して前記被手術眼に他の照明光を照射する他の照明光学系を備えていることを特徴とする。
【００２１】
また、請求項２に記載の発明は、請求項１に記載の手術用顕微鏡装置であって、前記他の照明光学系の前記他の射出瞳は、前記観察光学系の左右の観察光軸に直交しそれらを結ぶ線分の延長上に形成され、前記照明光学系の前記射出瞳の長手方向に直交する方向を長手方向としていることを特徴とする。
【００２２】
また、請求項３に記載の発明は、請求項１又は請求項２に記載の手術用顕微鏡装置であって、前記対物レンズを経由する助手の左右眼用の左右の観察光路を形成する助手用顕微鏡を更に備え、前記他の照明光学系の前記他の射出瞳は、前記観察光学系を挟んで前記助手用顕微鏡の前記入射瞳の反対側の位置に形成されている、ことを特徴とする。
【００２３】
また、請求項４に記載の発明は、請求項１又は請求項２に記載の手術用顕微鏡装置であって、前記他の照明光学系は、前記観察光学系を収納する筐体に対して着脱可能とされ、前記筐体に対する前記他の照明光学系の着脱位置に着脱可能とされ、前記対物レンズを経由する助手の左右眼用の左右の観察光路を形成し、前記他の出射瞳と同位置に入射瞳を形成する助手用顕微鏡を更に備える、ことを特徴とする。
【００２４】
また、請求項５に記載の発明は、請求項２に記載の手術用顕微鏡装置であって、前記他の照明光学系は、前記観察光学系の左の観察光軸の左側に、前記照明光学系の前記射出瞳の長手方向に直交する方向を長手方向とする射出瞳を形成し、前記他のスリット部材を含む左照明光学系と、前記観察光学系の右の観察光軸の右側に、前記左照明光学系の射出瞳の長手方向と同じ方向を長手方向とする射出瞳を形成し、前記他のスリット部材を含む右照明光学系と、を含んでいることを特徴とする。
【００２５】
また、請求項６に記載の発明は、請求項３に記載の手術用顕微鏡装置であって、前記他の照明光学系と前記助手用顕微鏡とは、前記左右の観察光軸に平行かつそれらの中間位置を通る直線を軸として前記他の射出瞳と前記入射瞳とを回動させるように一体的に回動可能とされていることを特徴とする。
【００２６】
また、請求項７に記載の発明は、請求項１に記載の手術用顕微鏡装置であって、前記他の照明光学系の前記他の射出瞳は、前記観察光学系を挟んで前記照明光学系の前記射出瞳の反対側の位置に形成され、前記射出瞳の長手方向と同じ方向を長手方向としていることを特徴とする。
【００２７】
また、請求項８に記載の発明は、請求項１に記載の手術用顕微鏡装置であって、前記照明光学系及び前記他の照明光学系の内の少なくとも一方を選択するための選択操作手段と、前記選択された前記照明光学系及び／又は前記他の照明光学系からの照明光により前記被手術眼を照明させる制御手段と、を更に備えていることを特徴とする。
【００２８】
また、請求項９に記載の発明は、請求項５に記載の手術用顕微鏡装置であって、前記照明光学系、前記左照明光学系及び前記右照明光学系の内の少なくともいずれかを選択するための選択操作手段と、前記選択された前記照明光学系、前記左照明光学系及び／又は前記右照明光学系からの照明光により前記被手術眼を照明させる制御手段と、を更に備えていることを特徴とする。
【発明の効果】
【００２９】
本発明に係る手術用顕微鏡装置によれば、被手術眼を照明する照明光として、照明光学系からの照明光と、それとは照射方向の異なる他の照明光学系からの他の照明光とを用いることが可能である。したがって、被手術眼の観察部位の状態により注目部位に影が生じて良好な観察状態を得られない場合に、照明方向を変更することができるので、影のない良好な観察状態を得ることができる。それにより、本発明によれば、観察部位の状態に関わらず、その観察部位を明瞭に観察することが可能となる。
【発明を実施するための最良の形態】
【００３０】
本発明に係る手術用顕微鏡装置の好適な実施形態の一例について、図面を参照しながら詳細に説明する。
【００３１】
〈第１の実施形態〉
本発明に係る手術用顕微鏡装置の第１の実施形態は、従来と同様の外観構成を備えている（図１７参照）。本実施形態に係る手術用顕微鏡装置１は、装置を支持する支柱２と、この支柱２の上端に接続された第１アーム３と、この第１アーム３に接続された第２アーム４と、この第２アーム４に接続された駆動装置５と、この駆動装置５により懸架された術者用顕微鏡６と、この術者用顕微鏡６に付設された助手用顕微鏡７と、各種操作を足で行うためのフットスイッチ８とを含んで構成される。
【００３２】
術者用顕微鏡６は、各種光学系や駆動系などを収納する鏡筒部１０を有する。鏡筒部１０の上部には、倒像として得られる観察像を正立像に変換する光学ユニット（像正立プリズム）を収納したインバータ部１２が設けられ、このインバータ部１２の上部には、左右一対の接眼部１１Ｌ、１１Ｒが設けられている。
【００３３】
また、術者用顕微鏡６には、前置レンズ１３が保持アーム１４を介して接続されている。保持アーム１４の上端部は垂直方向に回動可能に枢設されており、前置レンズ１３を被手術眼Ｅと対物レンズの前側焦点との間の位置に挿脱できるようになっている。この前置レンズ１３は、異なる度数（たとえば４０Ｄ、８０Ｄ等）のものが用意されており、観察部位に応じて選択的に装着するようになっている。
【００３４】
［光学系の構成］
図１、図２は、本実施形態の手術用顕微鏡装置１が備える光学系の構成を表している。ここで、図１は助手用顕微鏡７側からの側面図であり、図２は術者側からの側面図である。なお、従来の手術用顕微鏡装置と同様の構成部分については図１８と同じ符号を用いることとし、また、以下の説明中における上下左右方向は、特に言及しない限り術者側から見た場合の方向とする。
【００３５】
〔観察光学系〕
観察光学系３０は、図２に示すように、対物レンズ１５の光軸Ｏを挟んで左右一対設けられた左観察光学系３０Ｌと右観察光学系３０Ｒとを含んで構成される。ここで、符号ＯＬは左観察光学系３０Ｌの観察光軸を示し、符号ＯＲは右観察光学系３０Ｒの観察光軸を示す。左右の観察光学系３０Ｌ、３０Ｒは、それぞれ、ズームレンズ系３１、ビームスプリッタ３２（右観察光学系３０Ｒのみ）、結像レンズ３３、像正立プリズム３４、眼幅調整プリズム３５、視野絞り３６及び接眼レンズ３７を有する。ズームレンズ系３１は複数のズームレンズ３１ａ、３１ｂ、３１ｃを有する。
【００３６】
右観察光学系３０Ｒのビームスプリッタ３２は、被手術眼Ｅから観察光軸ＯＲに沿って導光された観察光の一部を分離してＴＶカメラ撮像系に導く。このＴＶカメラ撮像系は、結像レンズ５４、反射ミラー５５及びＴＶカメラ５６を含んで構成される。ＴＶカメラ５６は、ＣＣＤ等の撮像素子５６ａを備えている。
【００３７】
助手用顕微鏡７は、対物レンズ１５を経由する助手の左右眼用の左右の観察光路を形成し、図２に示すように、対物レンズ１５を経由しプリズム５０の反射面５０ａにて反射された被手術眼Ｅからの観察光を結像させる結像レンズ５１と、反射ミラー５２と、接眼レンズ５３とを含んで構成される。なお、助手用顕微鏡７に専用のズームレンズ系（図示せず）を設けてもよい。その場合、助手用顕微鏡７による観察像のズーム倍率を観察光学系３０のズームレンズ系３１のズーム倍率に連動して変更するように構成することができる。助手用顕微鏡７の入射瞳は、プリズム５０の反射面５０ａとなっている。
【００３８】
〔照明光学系〕
照明光学系２０は、図１に示すように、照明光源２１、光ファイバ２１ａ、コンデンサレンズ２２、照明野絞り２３、スリット板２４、照明プリズム２５、出射口絞り２６及びコリメータレンズ２７を含んで構成される。
【００３９】
照明野絞り２３は、対物レンズ１４の前側焦点位置Ｆと光学的に共役な位置に設けられている。また、観察時には、対物レンズ１５の前側焦点位置Ｆが眼底Ｅｒ（網膜）に共役になるように、術者用顕微鏡６の鏡筒部１０の上下位置が調整される。
【００４０】
本実施形態における照明光源２１は、術者用顕微鏡６の鏡筒部１０の外部に設けられている。この照明光源２１には光ファイバ２１ａの一端が接続されている。光ファイバ２１ａの他端は、鏡筒部１０内のコンデンサレンズ２２に臨む位置に配置されている。照明光源２１から出力された照明光は、光ファイバ２１ａを通じてコンデンサレンズ２２に入射される。
【００４１】
光ファイバ２１の上記他端（出射口）に臨む位置には、出射口の任意領域を遮蔽する出射口絞り２６が配設されている。出射口絞り２６により遮蔽される出射口の領域が変更されると、照明光の出射領域が変更される。たとえば、出射口絞り２６が出射口の上側領域を遮蔽した場合、照明光は出射口の下側領域のみから出射され、照明プリズム２５の反射面２５ａの上側領域にて反射される。また、出射口の下側領域を遮蔽した場合、照明光は出射口の上側領域のみから出射され、照明プリズム２５の反射面２５ａの下側領域にて反射される。したがって、光ファイバ２１ａの出射口の上側領域が遮蔽されたときの照明角度は、下側領域が遮蔽されたときの照明角度よりも大きくなる。ここで、照明角度とは、観察光学系３０の光軸ＯＬ、ＯＲ（対物レンズ１５の光軸Ｏ）に対して被手術眼Ｅに入射する照明光軸Ｏ′が成す角度（図１の左右方向における角度）を表す。
【００４２】
スリット板２４は、本発明の「スリット部材」の一例に相当するもので、図３に示すように、遮光性を有するたとえば円盤状の部材によって形成され、長方形状の複数（たとえば３つ）のスリット穴２４ａ１、２４ａ２、２４ａ３を有している。スリット穴２４ａ１、２４ａ２、２４ａ３のスリット幅は、それぞれ、たとえば２．５ｍｍ、５ｍｍ、９ｍｍとされている。
【００４３】
また、スリット板２４は、その中心部に回動軸２４ｂを有している。この回動軸２４ｂは、スリット板２４を回転駆動する後述のスリット板回動機構に接続されている。各スリット穴２４ａ１、２４ａ２、２４ａ３は、回動中心からそれぞれ等距離の位置に形成され、スリット板回動機構によって照明光学系２０の照明光路上に選択的に配置されるようになっている。このとき、照明光路上に配置されたスリット穴２４ａ１、２４ａ２、２４ａ３が図１におけるスリット穴２４ａである。
【００４４】
また、スリット板２４（及びスリット板回動機構）は、後述のスリット板移動機構により、照明光学系２０の照明光軸Ｏ′に直交する方向に移動されるようになっている。
【００４５】
コリメータレンズ２７は、スリット穴２４ａを通過した照明光を平行光束にする。平行光束とされた照明光は、照明プリズム２５の反射面２５ａにて反射されて対物レンズ１５に入射し、前置レンズ１３を介して被手術眼Ｅに照射される。
【００４６】
本実施形態の手術用顕微鏡装置１は、以上の照明光学系２０に加えて、本発明の「他の照明光学系」の一例に相当する次のような照明光学系４０を備えている点が特徴的である。この照明光学系４０は、観察光学系３０を挟んで助手用顕微鏡７の反対側の位置に設けられており、照明光学系２０と同様に、照明光源４１、光ファイバ４１ａ、コンデンサレンズ４２、照明野絞り４３、スリット板４４（他のスリット部材）、反射面４５ａを有する照明プリズム４５、出射口絞り４６、コリメータレンズ４７及び反射ミラー４８を含んで構成されている。なお、符号Ｏ″は、照明光学系４０の光軸を示している。照明光学系４０からの照明光は、所定の照明角度で被手術眼Ｅに照射される。ここで、照明光学系４０による照明角度と照明光学系２０による照明角度とは、互いに同一であってもよいし、それぞれ異なっていてもよい。
【００４７】
スリット板４４は、照明光学系２０のスリット板２４と同様の構成を有し（図３参照）、更に、同様のスリット板回動機構及びスリット板移動機構によりスリット板２４と同様に駆動される。
【００４８】
図４は、観察光学系３０の上方から見たときの、照明光学系２０、４０の射出瞳及び観察光学系３０の入射瞳の位置関係を表している。なお、同図における下方向が術者側とされている。
【００４９】
図１に示す照明光学系２０の射出瞳は、照明プリズム２５の反射面２５ａである。この照明光学系２０の射出瞳２５ａ（反射面２５ａと同一視する。）は、観察光学系３０Ｌ、３０Ｒを挟んで術者の反対側の位置に形成され、かつ、観察光学系３０Ｌ、３０Ｒの左右の観察光軸ＯＬ、ＯＲを結ぶ方向（図４における左右方向）を長手方向とする長方形状を有している。なお、スリット板２４は、スリット穴２４ａの長手方向が射出瞳２５ａの長手方向と同じ方向を向くようにして照明光路上に配置される。
【００５０】
また、図２に示す照明光学系４０の射出瞳は、照明プリズム４５の反射面４５ａである。この照明光学系４０の射出瞳４５ａ（反射面４５ａと同一視する。）は、観察光学系３０Ｌ、３０Ｒの観察光軸ＯＬ、ＯＲに直交しそれらを結ぶ線分（図４における左右方向）を右に延長した位置に形成され、かつ、照明光学系２０の射出瞳２５ａの長手方向に直交する方向を長手方向としている。なお、スリット板４４は、スリット穴４４ａの長手方向が射出瞳４５ａの長手方向と同じ方向を向くようにして照明光路上に配置される。
【００５１】
左観察光学系３０Ｌの入射瞳ＰＬは、図２に示すように、対物レンズ１５と左観察光学系３０Ｌのズームレンズ系３１との間の位置に形成され、右観察光学系３０Ｒの入射瞳ＰＲは、対物レンズ１５と右観察光学系３０Ｒのズームレンズ系３１との間の位置に形成される。左右の観察光学系３０Ｌ、３０Ｒの入射瞳ＰＬ、ＰＲは、図４に示すように、観察光軸ＯＬ、ＯＲを中心にそれぞれ形成される。
【００５２】
［制御系の構成］
続いて、図５を参照して本実施形態の手術用顕微鏡装置１の制御系の構成について説明する。
【００５３】
手術用顕微鏡装置１の制御系は、制御部６０を中心に構成されている。制御部６０は、装置各部の制御を司るもので、ＣＰＵ等のマイクロプロセッサと、ＲＡＭやＲＯＭ等の記憶装置とを含んで構成されている。ＲＯＭ等の不揮発性記憶装置には装置制御用のコンピュータプログラムがあらかじめ格納されており、そのコンピュータプログラムをＣＰＵ等がＲＡＭに展開して実行することで装置各部の制御が行われる。この制御部６０は、本発明の「制御手段」の一例に相当する。
【００５４】
〔駆動系〕
照明光学系２０には、前述のように、照明光源２１、照明野絞り２３、スリット板２４及び出射口絞り２６が設けられている。制御部６０は、照明光源２１を制御して照明光を出力させ、また出力を停止させる。
【００５５】
スリット板２４は、スリット板回動機構６１とスリット板移動機構６２とによって駆動される。スリット板回動機構６１は、パルスモータ等の駆動装置を備えており、制御部６０からの制御信号に基づいてスリット板２４を回動軸２４ｂ周りに回転させる。制御部６０は、目的のパルス数のパルス信号を含む制御信号をスリット板回動機構６１に送る。スリット板回動機構６１は、このパルス信号のパルス数に対応する角度だけスリット板２４を回転させ、スリット穴２４ａ１、２４ａ２、２４ａ３を選択的に照明光路上に配置させる。
【００５６】
また、スリット板移動機構６２は、パルスモータ等の駆動装置を備え、制御部６０からの制御信号に基づいてスリット板２４とスリット板回動機構６１とを一体的に移動させるように動作する。その移動方向は、図１に示す矢印Ａの方向となっている。
【００５７】
照明野絞り２３は、制御部６０からの制御信号に従って動作する絞り駆動機構６３により駆動されて絞り値を変更する。絞り駆動機構６３は、周知の絞り部材の絞り値を調整するための周知の構成を有している。同様に、出射口絞り２６は、制御部６０からの制御信号に基づいて動作する周知の絞り駆動機構６４により駆動され、光ファイバ２１ａの出射口の任意領域を遮蔽して照明光の照明角度を変更する。
【００５８】
また、照明光学系４０には、照明光源４１、照明野絞り４３、スリット板４４及び出射口絞り４６が設けられている。制御部６０は、照明光源４１による照明光の出力／出力停止を制御する。
【００５９】
スリット板４４は、スリット板回動機構６５とスリット板移動機構６６とによって駆動される。スリット板回動機構６５及びスリット板移動機構６６は、それぞれ、スリット板回動機構６１及びスリット板移動機構６２と同様にしてスリット板４４を駆動する。なお、スリット板移動機構６６は、図２に示す矢印Ｂの方向にスリット板４４とスリット板回動機構６５とを一体的に移動させる。
【００６０】
照明野絞り４３は、制御部６０からの制御信号に従って動作する周知の絞り駆動機構６７により駆動されて絞り値を変更する。同様に、出射口絞り４６は、制御部６０からの制御信号に基づいて動作する周知の絞り駆動機構６８により駆動され、光ファイバ４１ａの出射口の任意領域を遮蔽して照明光の照明角度を変更する。
【００６１】
〔操作系〕
引き続き図５を参照して手術用顕微鏡装置１の操作系、特にフットスイッチ８について説明する。フットスイッチ８には、照明方向選択操作部７０、第１照明操作部７１及び第２照明操作部７２が設けられている。第１照明操作部７１は照明光学系２０を操作するためのもので、第２照明操作部７２は照明光学系４０を操作するためのものである。前述のように照明光学系２０、４０は同様の構成を有しているので、第１、２照明操作部７１、７２も同様の構成を備えている。
【００６２】
（照明方向選択操作部）
照明方向選択操作部７０は、本発明の「選択操作手段」の一例に相当するもので、被手術眼Ｅの照明方向、つまり被手術眼Ｅに対する照明光の照射方向を選択するために操作される。この照明方向選択操作部７０は、たとえば単一のボタンによって構成されており、１回操作する度毎に、照明光学系２０からの照明光のみによる第１の照明態様と、照明光学系４０からの照明光のみによる第２の照明態様と、照明光学系２０からの照明光及び照明光学系４０からの照明光の双方による第３の照明態様とが循環的に切り換わるようになっている。この照明態様の切り換え動作は、照明方向選択操作部７０からの操作信号を受けた制御部６０によって制御される。
【００６３】
なお、照明方向選択操作部７０は、たとえば２つのボタンにより構成することもできる。一方のボタンは照明光学系２０からの照明光の出力／出力停止を切り換えるために操作され、他方のボタンは照明光学系４０からの照明光の出力／出力停止を切り換えるために操作される。また、上記の第１〜第３の照明態様をそれぞれ適用するための３つのボタンによって照明方向選択操作部７０を構成してもよい。
【００６４】
（第１照明操作部）
第１照明操作部７１は、照明光学系２０を操作するためのもので、スリット切換操作部７１Ａ、スリット移動操作部７１Ｂ、照明角度変更操作部７１Ｃ及び照明野絞り操作部７１Ｄを含んで構成される。ここで、スリット切換操作部７１Ａ、スリット移動操作部７１Ｂ、照明角度変更操作部７１Ｃは、それぞれ、本発明の「操作手段」の一例に相当するものである。
【００６５】
スリット切換操作部７１Ａは、スリット穴２４ａのスリット幅を切り換えるために操作される。このスリット切換操作部７１Ａは、たとえば単一のボタンによって構成されており、１回操作する度毎に、スリット穴２４ａ１、２４ａ２、２４ａ３が循環的に照明光路上に配置されるようになっている。このスリット幅の切り換え動作は、スリット切換操作部７１Ａからの操作信号を受けた制御部６０が、その操作信号に対応するパルス数のパルス信号を含む制御信号をスリット板回動機構６１に送信し、そのパルス信号に応じてスリット板２４が回転されることにより実行される。
【００６６】
なお、スリット切換操作部７１Ａは、各スリット穴２４ａ１、２４ａ２、２４ａ３を照明光路上に配置させるための３つのボタンなどによって構成されていてもよい。
【００６７】
スリット移動操作部７１Ｂは、スリット穴２４ａを照明光路上において移動させるために操作される。このスリット移動操作部７１Ｂは、たとえば前後一対のボタンにより構成される。
【００６８】
この前後一対のボタンの内の前（後）のボタンを操作すると、制御部６０は、その操作信号に基づいてスリット板移動機構６２に制御信号を送信する。スリット板移動機構６２は、その制御信号に基づいて、スリット板２４及びスリット板回動機構６１を、図１の矢印Ａに沿って移動させ、眼底Ｅｒに投影されるスリット状の照明光を術者から見て前方向（後ろ方向）、つまり図４における術者側の反対方向（術者側の方向）に移動させる。照明光の移動量は、たとえばボタンを踏む強さや操作回数などによって調整されるようになっている。
【００６９】
照明角度変更操作部７１Ｃは、観察光学系３０Ｌ、３０Ｒ（対物レンズ１５の光軸Ｏ）に対する、照明光学系２０の照明光軸Ｏ′の角度（照明角度）を変更するために操作される。この照明角度変更操作部７１Ｃは、たとえば一対のボタンから構成されている。
【００７０】
その一対のボタンを操作すると、制御部６０は、その操作信号に基づいて、絞り駆動機構６４に制御信号を送信する。絞り駆動機構６４は、その制御信号に基づいて、図１の矢印Ａと同じ方向に沿って出射口絞り２６を移動させる。このとき、一対のボタンの一方を操作すると図１における上方向に出射口絞り２６が移動され、他方を操作すると下方向に移動される。出射口絞り２６が上方向に移動すると、光ファイバ２１ａの出射口の遮蔽領域が下方向に移動するので、前述したように、照明光の照明角度が小さくなる。一方、出射口絞り２６が下方向に移動すると、光ファイバ２１ａの出射口の遮蔽領域が上方向に移動するので、照明光の照明角度が大きくなる。
【００７１】
照明野絞り操作部７１Ｄは、照明野絞り２３の絞り値を変更するために操作され、たとえば絞り値を大きくするボタンと小さくするボタンとによって構成される。この照明野絞り操作部７１Ｄを操作すると、その操作信号を受けた制御部６０が絞り駆動機構６３に対して制御信号を送信し、その制御信号に基づいて照明野絞り２３の絞り値が変更される。
【００７２】
（第２照明操作部）
第２照明操作部７２は、照明光学系４０を操作するためのもので、スリット切換操作部７２Ａ、スリット移動操作部７２Ｂ、照明角度変更操作部７２Ｃ及び照明野絞り操作部７２Ｄを含んで構成される。ここで、スリット切換操作部７２Ａ、スリット移動操作部７２Ｂ、照明角度変更操作部７２Ｃは、それぞれ、本発明の「操作手段」の一例に相当するものである。
【００７３】
スリット切換操作部７２Ａはスリット切換操作部７１Ａと同様に構成され、スリット移動操作部７２Ｂはスリット移動操作部７１Ｂと同様に構成され、照明角度変更操作部７２Ｃは照明角度変更操作部７１Ｃと同様に構成され、照明野絞り操作部７２Ｄは照明野絞り操作部７１Ｄと同様に構成されている。
【００７４】
なお、照明方向選択操作部７０についての上記説明における第３の照明態様を適用しない場合、すなわち、照明光学系２０と照明光学系４０とを同時使用する構成を適用しない場合には、照明操作部は１つで十分である。たとえば、照明方向選択操作部７０により選択された照明光学系（２０又は４０）の操作を第１の照明操作部７１で行うように構成すれば、第２の照明操作部７２は不要となる。
【００７５】
［動作態様］
以上のような構成を備える本実施形態の手術用顕微鏡装置１の動作態様について、適宜に図面を参照しつつ説明する。以下、照明方向の切り換えに関わる動作と、照明領域の移動に関わる動作とについてそれぞれ説明する。以下、照明光学系２０、４０のことを「第１の照明光学系２０」、「第２の照明光学系４０」と呼ぶことがある。
【００７６】
〔照明方向の切り換え〕
たとえば網膜に癒着した増殖膜を剥離する手術において癒着部位が増殖膜の影などで見にくい場合がある。そのように注目部位の観察が困難である場合、本実施形態によれば、照明方向を切り換えて注目部位を明瞭に観察することができる。図６のフローチャートは、照明の切り換え動作の一例を表している。
【００７７】
観察開始時には、制御部６０の制御により、たとえば第１の照明光学系２０からの照明光が被手術眼Ｅに照射される（Ｓ１）。この照明光は、図１に示すように、対物レンズ１５の光軸Ｏを挟んで照明光学系２０の反対側（術者側）の角膜Ｅｃ上の位置から被手術眼Ｅに入射される。
【００７８】
術者は、この照明光の下で注目部位を観察する（Ｓ２）。このとき、必要に応じて、スリット板２４のスリット幅などを調整する。注目部位の観察状態が良好である場合は（Ｓ３；Ｙ）、そのままの照明態様で注目部位を観察しつつ手術を行う（Ｓ１１）。
【００７９】
一方、注目部位が影で見えにくいなど観察状態が良好でない場合には（Ｓ３；Ｎ）、術者は、照明方向選択操作部７０を操作する（Ｓ４）。制御部６０は、照明方向選択操作部７０からの操作信号を受けて、第１の照明光学系２０の照明光源２１からの照明光の出力を停止するとともに（Ｓ５）、第２の照明光学系４０の照明光源４１を制御して照明光を出力させる（Ｓ６）。術者は、必要に応じてスリット板４４のスリット幅などを調整する。
【００８０】
第２の照明光学系４０からの照明光は、対物レンズ１５の光軸Ｏを挟んで第２の照明光学系４０の反対側（図２における左側）の角膜Ｅｃ上の位置から被手術眼Ｅに入射される。すなわち、第２の照明光学系４０からの照明光は、第１の照明光学系２０の照明光に対して直交する方向から注目部位を含む領域を照明することとなる。
【００８１】
この照明態様で注目部位を良好に観察できる場合（Ｓ７；Ｙ）、当該照明態様の下で注目部位を観察しつつ手術を行う（Ｓ１１）。
【００８２】
一方、第２の照明光学系４０からの照明光によっても良好な観察状態が得られない場合（Ｓ７；Ｎ）、術者は、照明方向選択操作部７０を再び操作する（Ｓ８）。制御部６０は、この操作に対応する操作信号を受け、第１の照明光学系２０の照明光源２１を制御して照明光を出力させる（Ｓ９）。それにより、第１の照明光学系２０からの照明光と、第２の照明光学系４０からの照明光との双方が、互いに直交する方向から被手術眼Ｅに入射される。
【００８３】
この照明態様で注目部位を良好に観察できる場合（Ｓ１０；Ｙ）、そのままの照明態様で注目部位を観察しつつ手術を行う（Ｓ１１）。
【００８４】
一方、依然として良好な観察状態を得られない場合（Ｓ１０；Ｎ）、術者は、必要に応じて照明方向選択操作部７０を操作し、第１の照明光学系２０による単独照明の場合の観察状態と、第２の照明光学系４０による単独照明の場合の観察状態と、第１、２の照明光学系２０、４０の双方による照明の場合の観察状態とを比較するために、ステップＳ２〜ステップＳ１０を適宜反復する。
【００８５】
術者は、３つの照明態様の内、観察状態が最適なものを選択して手術を実施する（Ｓ１１）。
【００８６】
以上のような本実施形態の手術用顕微鏡装置１によれば、被手術眼Ｅの観察部位の状態により注目部位に影が生じて良好な観察状態を得られない場合に、その照明方向に直交する方向から別の照明光を照射して注目部位を照明することができるので、良好な観察状態を得ることができる。したがって、観察部位の状態に関わらず、その観察部位を明瞭に観察することが可能となる。
【００８７】
〔照明領域の移動〕
本実施形態の手術用顕微鏡装置１によれば、互いに直交する２つのスリット光による照明領域をそれぞれ移動させることができる。
【００８８】
そのために、まず、照明方向選択操作部７０を操作して、第１の照明光学系２０と第２の照明光学系４０との双方から照明光（スリット光）を照射する。これら２つのスリット光は、長手方向を互いに直交するようにして被手術眼Ｅに投影される。
【００８９】
術者は、第１照明操作部７１のスリット移動操作部７１Ｂを操作することで、第１の照明光学系２０からのスリット光を、その長手方向に直交する方向（スリット光の幅方向）、換言すれば第２の照明光学系４０からのスリット光の長手方向に任意に移動させることができる。
【００９０】
同様に、術者は、第２照明操作部７２のスリット移動操作部７２Ｂを操作することで、第２の照明光学系４０からのスリット光を、その長手方向に直交する方向（スリット光の幅方向）、換言すれば第１の照明光学系２０からのスリット光の長手方向に任意に移動させることができる。
【００９１】
このように、第１の照明光学系２０からのスリット光と第２の照明光学系４０からのスリット光とをそれぞれ移動させることにより、たとえば視神経乳頭や黄斑部に対する注目部位の位置関係を容易に把握することができる。
【００９２】
［変形例］
本実施形態の各種の変形例について説明する。
【００９３】
（変形例１）
上記実施形態では、互いに直交する方向から２つの異なる照明光（スリット光）を照射できる構成が採用されているが、それらの照射方向は直交関係にある必要はない。すなわち、任意の異なる複数の方向から選択的に照明光を照射できるように構成されていれば十分である。そのためには、たとえば、観察光学系３０Ｌ、３０Ｒを挟んで術者の反対側の位置に射出瞳２５ａを有する第１の照明光学系２０とともに、対物レンズ１５の光軸Ｏを中心に射出瞳２５ａから任意角度だけ変位した位置に他の照明光学系を設ければよい。なお、後述の第２、３の実施形態において、このような構成の一例を説明する。
【００９４】
（変形例２）
第２の照明光学系４０（照明プリズム４５を除く。また、照明光源４１は外付けでもよい。）を１つの筐体内に収納するとともに、その筐体を術者用顕微鏡６の鏡筒部１０に取り付けるための取付部を当該筐体に形成する。また、術者用顕微鏡６の鏡筒部１０の照明プリズム４５の部分に、第２の照明光学系４０の筐体の取付部を保持するホルダ部を設ける。それにより、第２の照明光学系４０の筐体を術者用顕微鏡６の鏡筒部１０に着脱可能に構成する。鏡筒部１０に装着したときの第２の照明光学系４０の出射瞳は、上記実施形態と同じく照明プリズム４５の反射面４５ａとなる。
【００９５】
同様に、助手用顕微鏡７についても術者用顕微鏡６の鏡筒部１０に着脱可能に構成する。そのために、助手用顕微鏡７の筐体に、たとえば結像レンズ５１、反射ミラー５２及び接眼レンズ５３に加えてズームレンズ系を収納する。更に、その筐体に第２の照明光学系４０の筐体の上記取付部と同じ取付部を設ける。助手用顕微鏡７のズームレンズ系は、術者用顕微鏡６のズームレンズ系３１と同様の構成を備えており、制御部６０は、そのズーム倍率をズームレンズ系３１に連動させて変更する。助手用顕微鏡７を鏡筒部１０の上記ホルダ部に装着したときの助手用顕微鏡７の入射瞳は、第２の照明光学系４０の出射瞳と同じく照明プリズム４５の反射面４５ａ上に形成される。
【００９６】
図７は、第２の照明光学系４０の射出瞳４５ａと助手用顕微鏡７の入射瞳との位置関係を表している。助手用顕微鏡７は、助手の左右眼に対応する左右の光学系を備えている。その左の光学系の入射瞳（左入射瞳）７Ｌと、右の光学系の入射瞳（右入射瞳）７Ｒとは、それぞれ、照明プリズム４５の反射面４５ａ、すなわち第２の照明光学系４０の射出瞳４５ａと同位置に形成される。
【００９７】
本変形例の構成によれば、助手用顕微鏡７を使用しない場合に第２の照明光学系４０を適宜使用することが可能となり便利である。なお、後述の第２の実施形態において、鏡筒部１０の左右両側にそれぞれホルダ部を設けた構成について説明する。
【００９８】
（変形例３）
対物レンズ１５の光軸Ｏ周りを助手用顕微鏡７が回転できるように構成された手術用顕微鏡装置が知られている。そのような手術用顕微鏡装置に本実施形態の構成を適用する場合、助手用顕微鏡７が回転されたことに対応して、その反対側に設けられた第２の照明光学系４０が助手用顕微鏡７と一体的に回転されるように構成することができる。このとき、助手用顕微鏡７の入射瞳と第２の照明光学系４０の出射瞳とは、光軸Ｏを中心に同じ回転方向に同角度だけ回転される。なお、対物レンズ１５の光軸Ｏは、左右の観察光軸ＯＬ、ＯＲのそれぞれに平行で、かつ、それらの中間位置を通る直線となっている。
【００９９】
〈第２の実施形態〉
本発明に係る手術用顕微鏡装置の第２の実施形態について説明する。本実施形態は、観察光学系３０Ｌ、３０Ｒを挟んで術者の反対側に位置する照明光学系２０に加え、観察光学系３０Ｌ、３０Ｒの左右両側にそれぞれ照明光学系を備えていることを特徴とするものである。なお、第１の実施形態の手術用顕微鏡装置１と同一の構成部分については、同じ符号を用いることとする。
【０１００】
［光学系の構成］
図８に、本実施形態の手術用顕微鏡装置１′の光学系の構成を示す。同図は、上述した第１の実施形態における図２に相当するもので、術者側から見たときの光学系の構成を表している。ここで、図８においては、ＴＶ撮像系の構成（結像レンズ５４、反射ミラー５５、ＴＶカメラ５６）が省略されている。なお、本実施形態の光学系を術者に対して左側から見たときの構成は、第１の実施形態の図１と同様である。
【０１０１】
本実施形態の手術用顕微鏡装置１′は、術者側から見て左観察光学系３０Ｌの左側に左照明光学系４０Ｌを有し、右観察光学系３０Ｒの右側に右照明光学系４０Ｒを有している。これら左右の照明光学系４０Ｌ、４０Ｒは、本発明の「他の照明光学系」の一例に相当し、互いに同じ構成とされている。なお、術者の反対側の照明光学系２０と、左右の観察光学系３０Ｌ、３０Ｒとは、それぞれ第１の実施形態と同様の構成を備えている。
【０１０２】
左照明光学系４０Ｌは、第１の実施形態の照明光学系４０と同様に、照明光源４１Ｌ、光ファイバ４１Ｌａ、コンデンサレンズ４２Ｌ、照明野絞り４３Ｌ、スリット穴４４Ｌａが形成されたスリット板４４Ｌ（他のスリット部材）、反射面４５Ｌａを有する照明プリズム４５Ｌ、出射口絞り４６Ｌ、コリメータレンズ４７Ｌ及び反射ミラー４８Ｌを含んで構成される。なお、符号Ｏ″Ｌは、この左照明光学系４０Ｌの光軸を示している。
【０１０３】
また、右照明光学系４０Ｒは、照明光源４１Ｒ、光ファイバ４１Ｒａ、コンデンサレンズ４２Ｒ、照明野絞り４３Ｒ、スリット穴４４Ｒａが形成されたスリット板４４Ｒ（他のスリット部材）、反射面４５Ｒａを有する照明プリズム４５Ｒ、出射口絞り４６Ｒ、コリメータレンズ４７Ｒ及び反射ミラー４８Ｒを含んで構成される。なお、符号Ｏ″Ｒは、この右照明光学系４０Ｒの光軸を示している。
【０１０４】
スリット板４４Ｌ、４４Ｒは、それぞれ第１の実施形態における照明光学系２０のスリット板２４と同様の構成を有している（図３参照）。
【０１０５】
なお、左照明光学系４０Ｌからの照明光（左照明光）の照明角度と、右照明光学系４０Ｒからの照明光（右照明光）の照明角度とは、互いに同一であってもよいし、それぞれ異なっていてもよい。また、左照明光、右照明光の照明角度は、照明光学系２０からの照明光の照明角度と同一であってもよいし、異なっていてもよい。
【０１０６】
図９は、観察光学系３０の上方から見たときの、照明光学系２０の射出瞳と、左右の照明光学系４０Ｌ、４０Ｒの射出瞳と、観察光学系３０の入射瞳との位置関係を表している。なお、同図における下方向が術者側とされている。
【０１０７】
照明光学系２０の射出瞳は、第１の実施形態と同様に照明プリズム２５の反射面２５ａであり、観察光学系３０Ｌ、３０Ｒを挟んで術者の反対側の位置に形成され、かつ、観察光学系３０Ｌ、３０Ｒの左右の観察光軸ＯＬ、ＯＲを結ぶ方向（図９における左右方向）を長手方向とする長方形状を有している。スリット板２４は、スリット穴２４ａが長手方向が射出瞳２５ａの長手方向と同じ方向を向くようにして照明光路上に配置される。
【０１０８】
また、左照明光学系４０Ｌの射出瞳は、照明プリズム４５Ｌの反射面４５Ｌａである。この左照明光学系４０Ｌの射出瞳４５Ｌａ（反射面４５Ｌａと同一視する。）は、観察光学系３０Ｌ、３０Ｒの観察光軸ＯＬ、ＯＲに直交しそれらを結ぶ線分（図９における左右方向）を左に延長した位置に形成され、かつ、照明光学系２０の射出瞳２５ａの長手方向に直交する方向を長手方向としている。スリット板４４Ｌは、スリット穴４４Ｌａの長手方向が射出瞳４５Ｌａの長手方向と同じ方向を向くようにして照明光路上に配置される。
【０１０９】
同様に、右照明光学系４０Ｒの射出瞳は、照明プリズム４５Ｒの反射面４５Ｒａである。この右照明光学系４０Ｒの射出瞳４５Ｒａ（反射面４５Ｒａと同一視する。）は、観察光学系３０Ｌ、３０Ｒの観察光軸ＯＬ、ＯＲに直交しそれらを結ぶ線分を右に延長した位置に形成され、かつ、照明光学系２０の射出瞳２５ａの長手方向に直交する方向を長手方向としている。すなわち、左照明光学系４０Ｌの射出瞳４５Ｌａと右照明光学系４０Ｒの射出瞳４５Ｒａとは、同じ方向を長手方向としている。スリット板４４Ｒは、スリット穴４４Ｒａの長手方向が射出瞳４５Ｒａの長手方向と同じ方向を向くようにして照明光路上に配置される。
【０１１０】
左観察光学系３０Ｌの入射瞳ＰＬと右観察光学系３０Ｒの入射瞳ＰＲとについては、第１の実施形態と同様である。
【０１１１】
［制御系の構成］
本実施形態の手術用顕微鏡装置１′の制御系は、第１の実施形態とほぼ同様の構成を有しており、制御部６０（制御手段）を中心に構成されている。以下、第１の実施形態の制御系の構成を表す図５を参照しつつ、本実施形態の制御系について説明する。
【０１１２】
〔駆動系〕
照明光学系２０の制御については、第１の実施形態と同様に、スリット板回動機構６１、スリット板移動機構６２、絞り駆動機構６３及び絞り駆動機構６４が設けられている。
【０１１３】
左照明光学系４０Ｌ（右照明光学系４０Ｒ）には、照明光源４１Ｌ（４０Ｒ）、照明野絞り４３Ｌ（４３Ｒ）、スリット板４４Ｌ（４４Ｒ）及び出射口絞り４６Ｌ（４６Ｒ）が設けられている。制御部６０は、照明光源４１Ｌ（４１Ｒ）による照明光の出力／出力停止を制御する。
【０１１４】
スリット板４４Ｌ（４４Ｒ）は、図示省略のスリット板回動機構６５Ｌ（６５Ｒ）とスリット板移動機構６６Ｌ（６６Ｒ）とによって駆動される。スリット板回動機構６５Ｌ（６５Ｒ）は、第１の実施形態のスリット板回動機構６５と同様の構成を有し、スリット板移動機構６６Ｌ（６６Ｒ）は、スリット板移動機構６６と同様の構成を有する。
【０１１５】
照明野絞り４３Ｌ（４３Ｒ）は、図示は省略するが、制御部６０からの制御信号に従って動作する周知の絞り駆動機構６７Ｌ（６７Ｒ）により駆動されて絞り値を変更する。この絞り駆動機構６７Ｌ（６７Ｒ）は、第１の実施形態の絞り駆動機構６７と同様の構成を有する。また、出射口絞り４６Ｌ（４６Ｒ）は、制御部６０からの制御信号に基づいて動作する周知の絞り駆動機構６８Ｌ（６８Ｒ）により駆動され、光ファイバ４１Ｌａ（４１Ｒａ）の出射口の任意領域を遮蔽して照明光の照明角度を変更する。この絞り駆動機構６８Ｌ（６８Ｒ）は、第１の実施形態の絞り駆動機構６８と同様の構成を有する。
【０１１６】
〔操作系〕
手術用顕微鏡装置１′のフットスイッチ８について、第１の実施形態の図５を引き続き参照しつつ説明する。本実施形態のフットスイッチ８には、第１の実施形態と同様の照明方向選択操作部７０及び第１照明操作部７１に加えて、左照明操作部７２Ｌと右照明操作部７２Ｒとが設けられている（図示省略）。
【０１１７】
照明方向選択操作部７０は、照明光を照射する光学系として、照明光学系２０、左照明光学系４０Ｌ及び右照明光学系４０Ｒの内の少なくとも１つを選択するために操作される。この照明方向選択操作部７０は、たとえば、照明光学系２０、左照明光学系４０Ｌ及び右照明光学系４０Ｒのそれぞれによる照明光の出力／出力停止を切り換える３つのボタンによって構成することができる。
【０１１８】
また、照明方向選択操作部７０を単一のボタンにより構成し、たとえば「照明光学系２０」→「左照明光学系４０Ｌ」→「右照明光学系４０Ｒ」→「照明光学系２０と左照明光学系４０Ｌ」→「照明光学系２０と右照明光学系４０Ｒ」→「照明光学系２０、左照明光学系４０Ｌと右照明光学系４０Ｒ」の順で、照明光を照射する光学系を循環的に切り換えるようにしてもよい。また、２つ以上の光学系を同時使用しない場合には、たとえば「照明光学系２０」→「左照明光学系４０Ｌ」→「右照明光学系４０Ｒ」の順で、照明光を照射する光学系を循環的に切り換えるようにしてもよい。
【０１１９】
左照明操作部７２Ｌは、左照明光学系４０Ｌを操作するためのもので、第１の実施形態における第２照明操作部７２と同様に、スリット切換操作部７２ＬＡ、スリット移動操作部７２ＬＢ、照明角度変更操作部７２ＬＣ及び照明野絞り操作部７２ＬＤを含んで構成される（図示省略）。これら操作部７２ＬＡ〜７２ＬＤは、それぞれ、第１の実施形態のスリット切換操作部７２Ａ、スリット移動操作部７２Ｂ、照明角度変更操作部７２Ｃ、照明野絞り操作部７２Ｄと同様に構成されている。各操作部７２ＬＡ〜７２ＬＤが操作されたときの動作は、第１の実施形態と同様である。
【０１２０】
また、右照明操作部７２Ｒは、右照明光学系４０Ｒを操作するためのもので、スリット切換操作部７２ＲＡ、スリット移動操作部７２ＲＢ、照明角度変更操作部７２ＲＣ及び照明野絞り操作部７２ＲＤを含んで構成される（図示省略）。これら操作部７２ＲＡ〜７２ＲＤは、それぞれ、第１の実施形態のスリット切換操作部７２Ａ、スリット移動操作部７２Ｂ、照明角度変更操作部７２Ｃ、照明野絞り操作部７２Ｄと同様に構成され、それらが操作されたときの動作についても第１の実施形態と同様である。
【０１２１】
なお、左照明光学系４０Ｌによる照明と右照明光学系４０Ｒによる照明とを同時使用しない構成を適用する場合には、左照明操作部７２Ｌと右照明操作部７２Ｒとを統合し、単一の操作部によって左右の照明光学系４０Ｌ、４０Ｒを操作するようにしてもよい。また、照明光学系２０と、左右の照明光学系４０Ｌ、４０Ｒとを同時使用しない場合には、照明操作部は１つで十分である。
【０１２２】
［動作態様］
以上のような構成を備えた本実施形態の手術用顕微鏡装置１′の動作態様について、図１０を参照しつつ説明する。同図に示すフローチャートは、２つ以上の光学系を同時使用しない構成を適用する場合の動作態様を示している。なお、複数の光学系を同時使用する構成を採用する場合の動作については、当該フローチャートに示す動作と同様であるので省略する。
【０１２３】
観察開始時には、制御部６０の制御により、たとえば第１の照明光学系２０からの照明光が被手術眼Ｅに照射される（Ｓ２１）。術者は、この照明光の下で注目部位を観察する（Ｓ２２）。注目部位の観察状態が良好である場合は（Ｓ２３；Ｙ）、そのままの照明態様で注目部位を観察しつつ手術を行う（Ｓ３２）。
【０１２４】
一方、観察状態が良好でない場合（Ｓ２３；Ｎ）、術者は、照明方向選択操作部７０を操作する（Ｓ２４）。制御部６０は、照明光学系２０の照明光源２１からの照明光の出力を停止するとともに（Ｓ２５）、左照明光学系４０Ｌの照明光源４１Ｌを制御して照明光を出力させる（Ｓ２６）。術者は、必要に応じてスリット板４４Ｌのスリット幅などを調整する。
【０１２５】
左照明光学系４０Ｌからの照明光は、対物レンズ１５の光軸Ｏを挟んで左照明光学系４０Ｌの反対側（図８における右側）の角膜Ｅｃ上の位置から被手術眼Ｅに入射される。
【０１２６】
この照明態様で注目部位を良好に観察できる場合（Ｓ２７；Ｙ）、当該照明態様の下で注目部位を観察しつつ手術を行う（Ｓ３２）。
【０１２７】
一方、左照明光学系４０Ｌからの照明光によっても良好な観察状態が得られない場合（Ｓ２７；Ｎ）、術者は、照明方向選択操作部７０を再び操作する（Ｓ２８）。制御部６０は、左照明光学系４０Ｌの照明光源４１Ｌからの照明光の出力を停止するとともに（Ｓ２９）、右照明光学系４０Ｒの照明光源４１Ｒを制御して照明光を出力させる（Ｓ３０）。術者は、必要に応じてスリット板４４Ｒのスリット幅などを調整する。
【０１２８】
右照明光学系４０Ｒからの照明光は、対物レンズ１５の光軸Ｏを挟んで右照明光学系４０Ｒの反対側（図８における左側）の角膜Ｅｃ上の位置から被手術眼Ｅに入射される。
【０１２９】
この照明態様で注目部位を良好に観察できる場合（Ｓ３１；Ｙ）、そのままの照明態様で注目部位を観察しつつ手術を行う（Ｓ３２）。
【０１３０】
一方、依然として良好な観察状態を得られない場合（Ｓ３１；Ｎ）、術者は、必要に応じて照明方向選択操作部７０を操作し、照明光学系２０による照明の場合の観察状態と、左照明光学系４０Ｌによる照明の場合の観察状態と、右照明光学系４０Ｒによる照明の場合の観察状態とを比較するために、ステップＳ２２〜ステップＳ３１を適宜反復する。
【０１３１】
術者は、３つの照明態様の内、観察状態が最適なものを選択して手術を実施する（Ｓ３２）。
【０１３２】
以上のような本実施形態の手術用顕微鏡装置１′によれば、被手術眼Ｅの観察部位の状態により注目部位に影が生じて良好な観察状態を得られない場合に、その照明方向に直交する左方向や右方向から別の照明光を照射して注目部位を照明することができるので、良好な観察状態を得ることが可能である。したがって、観察部位の状態に関わらず、その観察部位を明瞭に観察することが可能となる。
【０１３３】
［変形例］
本実施形態の各種の変形例について説明する。
【０１３４】
左右の照明光学系４０Ｌ、４０Ｒ（照明プリズム４５Ｌ、４５Ｒを除く。また、照明光源４１Ｌ、４１Ｒは外付けでもよい。）をそれぞれ１つの筐体内に収納する。左照明光学系４０Ｌの筐体に、術者から見て術者用顕微鏡６の鏡筒部１０の左側に当該筐体を取り付けるための取付部を形成する。同様に、右照明光学系４０Ｒの筐体に、術者用顕微鏡６の鏡筒部１０の右側に当該筐体を取り付けるための取付部を形成する。左右の取付部は、同一の構成とされる。また、術者用顕微鏡６の鏡筒部１０の照明プリズム４５Ｌの部分に、左照明光学系４０Ｌの筐体の取付部を保持するホルダ部を設けるとともに、鏡筒部１０の照明プリズム４５Ｒの部分に、右照明光学系４０Ｒの筐体の取付部を保持するホルダ部を設ける。それにより、左右の照明光学系４０Ｌ、４０Ｒのそれぞれの筐体を鏡筒部１０に着脱可能に構成する。鏡筒部１０に装着したときの左右の照明光学系４０Ｌ、４０Ｒの出射瞳は、それぞれ照明プリズム４５Ｌ、４５Ｒの反射面４５Ｌａ、４５Ｒａとなる。
【０１３５】
また、第１の実施形態の変形例２と同様に、助手用顕微鏡７の筐体に取付部を設けて、この助手用顕微鏡７を鏡筒部１０の左右のホルダ部に着脱可能に構成する。左のホルダ部に装着されたときの助手用顕微鏡７の入射瞳は、左照明光学系４０Ｌの出射瞳と同じく照明プリズム４５Ｌの反射面４５Ｌａ上に形成される。一方、右のホルダ部に装着されたときの助手用顕微鏡７の入射瞳は、右照明光学系４０Ｒの出射瞳と同じく照明プリズム４５Ｒの反射面４５Ｒａ上に形成される。
【０１３６】
図１１は、左右の照明光学系４０Ｌ、４０Ｒの射出瞳４５Ｌａ、４５Ｒａと助手用顕微鏡７の入射瞳との位置関係を表している。助手用顕微鏡７が左照明光学系４０Ｌの装着位置に取り付けられた場合、助手用顕微鏡７の左入射瞳７Ｌ及び右入射瞳７Ｒは、それぞれ、照明プリズム４５Ｌの反射面４５Ｌａ、すなわち左照明光学系４０Ｌの射出瞳４５Ｌａと同位置に形成される。一方、助手用顕微鏡７が右照明光学系４０Ｒの装着位置に取り付けられた場合、助手用顕微鏡７の左入射瞳７Ｌ及び右入射瞳７Ｒは、それぞれ、照明プリズム４５Ｒの反射面４５Ｒａ、すなわち右照明光学系４０Ｒの射出瞳４５Ｒａと同位置に形成される。
【０１３７】
本変形例の構成によれば、助手用顕微鏡７を使用しない場合に左右の照明光学系４０Ｌ、４０Ｒを適宜使用することが可能となり便利である。また、左右いずれか一方に助手用顕微鏡７を装着した場合には、その装着位置の反対側に左照明光学系４０Ｌ又は右照明光学系４０Ｒを取り付けて使用することができ、便利である。
【０１３８】
〈第３の実施形態〉
本発明に係る手術用顕微鏡装置の第３の実施形態は、上記実施形態の（第１の）照明光学系２０に対向する位置に他の照明光学系を設けたものである。図１２は、本実施形態の手術用顕微鏡装置の構成の一例を表している。
【０１３９】
図１２に示す手術用顕微鏡装置１″は、図１７に示す助手用顕微鏡７の側から見たときの光学系の側面図である。この手術用顕微鏡装置１″は、第１の実施形態と同様の照明光学系２０と観察光学系３０とを備えるとともに、観察光学系３０を挟んで照明光学系２０とは反対側の位置（つまり照明光学系２０の対向位置；術者側の位置）に照明光学系８０を備えている。
【０１４０】
この照明光学系８０は、本発明の「他の照明光学系」の一例に相当し、照明光学系２０と同様に、照明光源８１、光ファイバ８１ａ、コンデンサレンズ８２、照明野絞り８３、スリット板８４（他のスリット部材）、反射面８５ａを有する照明プリズム８５、出射口絞り８６、コリメータレンズ８７及び反射ミラー８８を含んで構成されている。スリット板８４は、照明光学系２０のスリット板２４と同様の構成を有する（図３参照）。なお、符号ＯＡは、この照明光学系８０の光軸を示している。照明光学系８０からの照明光は、所定の照明角度で被手術眼Ｅに照射される。ここで、照明光学系８０による照明角度と照明光学系２０による照明角度とは、互いに同一であってもよいし、それぞれ異なっていてもよい。
【０１４１】
図１３は、観察光学系３０の上方から見たときの、照明光学系２０、８０の射出瞳及び観察光学系３０の入射瞳の位置関係を表している。
【０１４２】
照明光学系２０の射出瞳は、第１の実施形態と同様に照明プリズム２５の反射面２５ａであり、観察光学系３０を挟んで術者の反対側の位置に形成され、かつ、観察光学系３０の左右の観察光軸ＯＬ、ＯＲを結ぶ方向を長手方向とする長方形状を有している。
【０１４３】
また、照明光学系８０の射出瞳は、照明プリズム８５の反射面８５ａであり、観察光学系３０を挟んで照明光学系２０の反対側の位置（術者側の位置）に形成される。この照明光学系８０の射出瞳８５ａ（反射面８５ａと同一視する。）は、照明光学系２０の射出瞳２５ａの長手方向と同じ方向を長手方向とする長方形状を有する。なお、スリット板８４は、スリット穴８４ａの長手方向が射出瞳８５ａの長手方向と同じ方向を向くようにして照明光路上に配置される。
【０１４４】
本実施形態の手術用顕微鏡装置１″は、第１の実施形態と同様の制御系を備える（図５参照）。ここで、フットスイッチ８の第２照明操作部７２の各操作部７２Ａ〜７２Ｄは、照明光学系８０を操作するために用いられる。また、フットスイッチ８の照明方向選択操作部７０を操作すると、照明光を照射する光学系が照明光学系２０と照明光学系８０との間で切り換わる。なお、「照明光学系２０」→「照明光学系８０」→「右照明光学系４０Ｒ」の順に、循環的に切り換えるようにしてもよい。
【０１４５】
このような本実施形態の手術用顕微鏡装置１″によれば、被手術眼Ｅの観察部位の状態により注目部位に影が生じて良好な観察状態を得られない場合に、その照明方向の逆方向から別の照明光を照射して注目部位を照明することができるので、良好な観察状態を得ることが可能である。したがって、観察部位の状態に関わらず、その観察部位を明瞭に観察することが可能となる。
【０１４６】
〈各種変形例〉
以上において詳述した構成は、本発明の手術用顕微鏡装置を実施するための一構成例に過ぎないものである。したがって、本発明の要旨の範囲内における任意の変形を施すことが可能である。以下に、そのような変形例を説明する。
【０１４７】
第２、３の実施形態の双方の構成を適用することにより、照明方向を前後左右の４方向で切り換えることが可能となる。図１４は、その場合の各照明光学系の射出瞳及び観察光学系３０の入射瞳の位置関係を表している。このような４方向からの照明を可能とすることにより、明瞭な観察状態を確実に得ることができる。
【０１４８】
また、上記の各実施形態においては、各照明光学系のスリット幅の切り換え動作、スリットの移動動作、照明角度の変更動作、照明野絞りの絞り値の変更動作などをそれぞれ独立して制御するように構成したが、２以上の照明光学系の動作を連動させるように制御することも可能である。たとえば、第１の実施形態において、照明光学系２０からの照明光と照明光学系４０からの照明光との双方が照射されている場合に、たとえばスリット切換操作部７１Ａが操作されたことに対応し、スリット板２４、４４の双方のスリット穴２４ａ、４４ａを切り換え制御するように構成できる。
【０１４９】
現行の手術用顕微鏡装置としては、対物レンズ１５の光軸Ｏを挟んで助手用の左右の観察光路が形成された助手用顕微鏡を備えたものがある。図１５は、そのようなタイプの手術用顕微鏡装置に本発明の構成（第１の実施形態）を適用した場合の射出瞳や入射瞳の位置関係の一例を表している。なお、助手用顕微鏡の左右の観察光路は、術者用顕微鏡の左右の観察光軸ＯＬ、ＯＲを結ぶ方向に直交する方向に並んで配設されている。したがって、図１５に示すように、助手用顕微鏡の左右の観察光路の入射瞳７Ｌ、７Ｒは、術者用顕微鏡の左右の観察光路の入射瞳ＰＬ、ＰＲの配置方向（術者側から見て左右方向）に対して直交する方向（術者側から見て前後方向）に配列されている。照明光学系２０の射出瞳２５ａ及び照明光学系４０の射出瞳４５ａの位置関係は、第１の実施形態と同様である。なお、符号２８は、術者用顕微鏡６の左右の観察光路の近傍に配置された偏向ミラーを示している（たとえば本出願人による特開２００４−１３９００２号公報の図１中の「偏向ミラー９」参照）。
【０１５０】
上記の各実施形態においては、各照明光学系毎に照明光源を備える構成が採用されているが、複数の照明光源を統合した構成としてもよい。その場合、照明光源が発生した照明光の出力先、つまりどの照明光学系に向けて出力するか、を選択できるように構成する。
【０１５１】
〈付記〉
以上で説明した実施形態のその他の特徴部分について以下に言及する。
【０１５２】
［付記項１］操作手段を更に備え、前記スリット部材は、前記操作手段からの操作に応じて前記スリットのスリット幅を変更することを特徴とする特許請求の範囲の請求項１ないし請求項９のいずれか一項に記載の手術用顕微鏡装置。
【０１５３】
［付記項２］操作手段を更に備え、前記他のスリット部材は、前記操作手段からの操作に応じて前記他のスリットのスリット幅を変更することを特徴とする特許請求の範囲の請求項１ないし請求項９のいずれか一項に記載の手術用顕微鏡装置。
【０１５４】
［付記項３］操作手段と、前記操作手段からの操作に応じて前記照明光学系の照明光軸が前記観察光軸に対して成す角度を変更する照明角度変更手段とを更に備えていることを特徴とする特許請求の範囲の請求項１ないし請求項９のいずれか一項に記載の手術用顕微鏡装置。
【０１５５】
なお、上記実施形態における絞り駆動機構６４（図５参照）は、「照明角度変更手段」の一例に相当する。
【０１５６】
［付記項４］操作手段と、前記操作手段からの操作に応じて前記他の照明光学系の照明光軸が前記観察光軸に対して成す角度を変更する他の照明角度変更手段とを更に備えていることを特徴とする特許請求の範囲の請求項１ないし請求項９のいずれか一項に記載の手術用顕微鏡装置。
【０１５７】
なお、上記実施形態における絞り駆動機構６８（図５参照）は、「他の照明角度変更手段」の一例に相当する。
【０１５８】
［付記項５］操作手段と、前記操作手段からの操作に応じて前記照明光による前記被手術眼の照明位置を変更する照明位置変更手段とを更に備えていることを特徴とする特許請求の範囲の請求項１ないし請求項９のいずれか一項に記載の手術用顕微鏡装置。
【０１５９】
なお、上記実施形態におけるスリット板移動機構６２（図５参照）は、「照明位置変更手段」の一例に相当する。
【０１６０】
［付記項６］操作手段と、前記操作手段からの操作に応じて前記他の照明光による前記被手術眼の照明位置を変更する他の照明位置変更手段とを更に備えていることを特徴とする特許請求の範囲の請求項１ないし請求項９のいずれか一項に記載の手術用顕微鏡装置。
【０１６１】
なお、上記実施形態におけるスリット板移動機構６６（図５参照）は、「他の照明位置変更手段」の一例に相当する。
【０１６２】
［付記項７］装置の操作を足で行うためのフットスイッチを備え、前記操作手段は前記フットスイッチに設けられていることを特徴とする上記付記項１ないし付記項６のいずれか一項に記載の手術用顕微鏡装置。
【０１６３】
［付記項８］装置の操作を足で行うためのフットスイッチを備え、前記選択操作手段は前記フットスイッチに設けられていることを特徴とする特許請求の範囲の請求項８又は請求項９に記載の手術用顕微鏡装置。
【０１６４】
［付記項９］前記被手術眼と前記対物レンズの前側焦点位置との間に挿脱可能とされ、前記照明光及び前記他の照明光をそれぞれ集束させて前記被手術眼の眼内を照明する前置レンズを更に備えていることを特徴とする特許請求の範囲の請求項１ないし請求項９のいずれか一項又は上記付記項１ないし付記項８のいずれか一項に記載の手術用顕微鏡装置。
【図面の簡単な説明】
【０１６５】
【図１】本発明に係る手術用顕微鏡装置の第１の実施形態の光学系の構成を表す概略側面図である。
【図２】本発明に係る手術用顕微鏡装置の第１の実施形態の光学系の構成を表す概略側面図である。
【図３】本発明に係る手術用顕微鏡装置の第１の実施形態の照明光学系に含まれるスリット板の構成を表す概略図である。
【図４】本発明に係る手術用顕微鏡装置の第１の実施形態の照明光学系の射出瞳及び観察光学系の入射瞳の位置関係を表す概略図である。
【図５】本発明に係る手術用顕微鏡装置の第１の実施形態の制御系の構成を表すブロック図である。
【図６】本発明に係る手術用顕微鏡装置の第１の実施形態の動作の一例を表すフローチャートである。
【図７】本発明に係る手術用顕微鏡装置の第１の実施形態の変形例における照明光学系の射出瞳、観察光学系の入射瞳及び助手用顕微鏡の入射瞳の位置関係を表す概略図である。
【図８】本発明に係る手術用顕微鏡装置の第２の実施形態の光学系の構成を表す概略側面図である。
【図９】本発明に係る手術用顕微鏡装置の第２の実施形態の照明光学系の射出瞳及び観察光学系の入射瞳の位置関係を表す概略図である。
【図１０】本発明に係る手術用顕微鏡装置の第２の実施形態の動作の一例を表すフローチャートである。
【図１１】本発明に係る手術用顕微鏡装置の第２の実施形態の変形例における照明光学系の射出瞳、観察光学系の入射瞳及び助手用顕微鏡の入射瞳の位置関係を表す概略図である。
【図１２】本発明に係る手術用顕微鏡装置の第３の実施形態の光学系の構成を表す概略側面図である。
【図１３】本発明に係る手術用顕微鏡装置の第３の実施形態の照明光学系の射出瞳及び観察光学系の入射瞳の位置関係を表す概略図である。
【図１４】本発明に係る手術用顕微鏡装置の変形例における照明光学系の射出瞳及び観察光学系の入射瞳の位置関係を表す概略図である。
【図１５】本発明に係る手術用顕微鏡装置の変形例における照明光学系の射出瞳、観察光学系の入射瞳及び助手用顕微鏡の入射瞳の位置関係を表す概略図である。
【図１６】眼内にライトガイドを挿入して観察部位を照明して行う手術の態様を表す断面図である。
【図１７】手術用顕微鏡装置の外観構成を表す概略図である。
【図１８】従来の手術用顕微鏡装置の光学系の構成を表す概略側面図である。
【符号の説明】
【０１６６】
Ｅ  被手術眼
１、１′、１″  手術用顕微鏡装置
６  術者用顕微鏡
７  助手用顕微鏡
８  フットスイッチ
１０  鏡筒部
１５  対物レンズ
Ｏ  光軸
２０  照明光学系
２１  照明光源
２１ａ  光ファイバ
２２  コンデンサレンズ
２３  照明野絞り
２４  スリット板
２４ａ  スリット穴
２５  照明プリズム
２５ａ  反射面、射出瞳
２６  出射口絞り
２７  コリメータレンズ
Ｏ′  光軸
３０  観察光学系
３０Ｌ  左観察光学系
３０Ｒ  右観察光学系
ＯＬ、ＯＲ  光軸
ＰＬ、ＰＲ  入射瞳
３１  ズームレンズ系
３２  ビームスプリッタ
３３  結像レンズ
３４  像正立プリズム
３５  眼幅調整プリズム
３６  視野絞り
３７  接眼レンズ
４０  照明光学系
４１  照明光源
４１ａ  光ファイバ
４２  コンデンサレンズ
４３  照明野絞り
４４  スリット板
４４ａ  スリット穴
４５  照明プリズム
４５ａ  反射面、射出瞳
４６  出射口絞り
４７  コリメータレンズ
４８  反射ミラー
５０  プリズム
５０ａ  反射面、助手用顕微鏡の入射瞳
Ｏ″  光軸
６０  制御部
６１、６５  スリット板回動機構
６２、６６  スリット板移動機構
６３、６４、６７、６８  絞り駆動機構
７０  照明方向選択操作部
７１  第１照明操作部
７２  第２照明操作部
７１Ａ、７２Ａ  スリット切換操作部
７１Ｂ、７２Ｂ  スリット移動操作部
７１Ｃ、７２Ｃ  照明角度変更操作部
７１Ｄ、７２Ｄ  照明野絞り操作部
【図１】
2006280805.tif 000003
【図２】
2006280805.tif 000004
【図３】
2006280805.tif 000005
【図４】
2006280805.tif 000006
【図５】
2006280805.tif 000007
【図６】
2006280805.tif 000008
【図７】
2006280805.tif 000009
【図８】
2006280805.tif 000010
【図９】
2006280805.tif 000011
【図１０】
2006280805.tif 000012
【図１１】
2006280805.tif 000013
【図１２】
2006280805.tif 000014
【図１３】
2006280805.tif 000015
【図１４】
2006280805.tif 000016
【図１５】
2006280805.tif 000017
【図１６】
2006280805.tif 000018
【図１７】
2006280805.tif 000019
【図１８】
2006280805.tif 000020